(57)【要約】      （修正有）【課題】マチ面部が外方に突出しないようにしたマチ面部付封筒を提供する。【解決手段】前面部２と後面部３と両マチ面部５，５と底面部と、前記後面部３の上方に蓋面部７を有し、前記蓋面部７の内面及び後面部３の上部内面に接着面８を形成し、該接着面上に剥離可能に剥離紙１０を貼着してなるマチ面部付封筒において、前記封筒の後面部３と前面部２との間に、中間に中折用の折り目１１，１１を有した前記マチ面部５，５の上端に後面部から前面部に向かって下り勾配の斜面部５ａ、５ａを夫々形成し、内方に折り畳んだ前記マチ面部の上部の裏面及び表面を、前記後面部の上部内面に設けた接着面８ｂ及び蓋面部の内面に設けた接着面８ａに密着させる。【選択図】図３
0003163424.tif 000002
【実用新案登録請求の範囲】
【請求項１】
前面部（２）と後面部（３）と両マチ面部（５，５）と底面部（４）と、前記後面部の上方に有した蓋面部（７）の内面及び後面部（３）の上部内面に粘着剤層を積層してなる接着面（８）を形成し、該接着面（８）上に剥離可能に剥離紙（１０）を貼着してなるマチ面部付封筒において、
前記封筒の後面部（３）と前面部（２）の両端部の間に、中折用の折り目（１１，１１）を有した前記マチ面部（５，５）の上端に、後面部から前面部に向かって下り勾配の傾斜部（５ａ、５ａ）を夫々形成し、内方に折り畳んだ前記マチ面部上部の裏面及び表面を、前記後面部及び蓋面部に設けた接着面（８）に夫々密着させてなるマチ面部付封筒。
【請求項２】
前記封筒内に、長さ調整可能な商品変形防止用の補強枠材（１３）を折り曲げて組み立てた補強枠（１８）を、収納物と共に前記封筒内に収納してなる請求項１記載のマチ面部付封筒。
【請求項３】
前記マチ面部（５，５）の中間に設けた折り目（１１，１１）を内方に折り込み、前記傾斜部（５ａ，５ａ）の上端部が互いに重合しないように位置をずらして折り畳んだ該マチ面部の上部両面を、前記後面部（３）の上部内面に設けた接着面（８ｂ）及び前記蓋面部（７）の内面に設けた接着面（８ａ）に接着してなる請求項１記載のマチ面部付封筒。
【請求項４】
前記前面部（２）の上部中央に、前記後面部（３）の上部と同じ高さの凸部片（２ａ）を設けてなる請求項１記載のマチ面部付封筒。
【請求項５】
前記マチ面部（５，５）の中間に、上下方向に設けた折り目（１１，１１）の上端に位置して該マチ面部の上端に突出片（５ｂ，５ｂ）を設けてなる請求項１記載のマチ面部付封筒。
【請求項６】
前記前面部（２）及び両マチ面部（５，５）の上端部に、凹凸部（１９）を連続して設けてなる請求項１記載のマチ面部付封筒。
【請求項７】
前記補強枠材（１３）は、その中央部に位置する底面板（１４）の両端に設けた第１折り目（１４ａ，１４ａ）を介して側面板（１５，１５）を形成すると共に、複数の予備折り目（１５ｂ、１５ｂ）と共に第２折り目（１５ａ，１５ａ）を夫々設けた前記側面板の先端部に形成した細幅の上部片（１６，１６）の先端部分に、互いに反対側に掛止用の複数の切込溝（１７，１７）を設けてなる請求項２記載のマチ面部付封筒。
【考案の詳細な説明】
【技術分野】
【０００１】
本考案は、内部に商品などを収納するマチ面部を有した糊付き封筒のマチ面部の上部を接着固定する改良型のマチ面部付封筒に関するものである。
【背景技術】
【０００２】
従来、宅配業者がマチ付き封筒内に収納した商品を運送中に、該封筒内の荷物の移動などによりマチ面部が外方に飛び出し、内容物が紛失したり、抜き取られる危険があった。そのため、「ベロ」即ち、蓋部を折り曲げて糊付けする時に、封筒本体を「ベロ」と共に、ダブらせて折り込んでいた。この場合、その分、封筒の内容量が少なくなるという欠点があった。しかし、封筒本体を「ベロ」と共に、ダブらせて折り込んで運送したところ、マチ面部に糊が付いていないため、該マチ面部が外方へ飛び出すのを完全に防ぐことができなかった。
【０００３】
即ち、図９に示すように、マチ面部付封筒２０は上方に位置する口部２１から封筒内部に収容する収納容量が大きいため、商品包装用、貨物配達包装用などに利用されている。特に、宅配便に用いる宅配商品の貨物配達包装用として手軽に包装・荷造りできることから、広く一般に利用されるようになっている。
【０００４】
また、糊付封筒と称して、封筒の蓋部２２の内面(裏面)に糊（粘着剤）を塗布して形成した接着面２３に剥離紙２４を仮りに接着したものが汎用されており、マチ面部付封筒２０にもこの種の糊付封筒が広く利用されている。即ち、従来のマチ面部付封筒２０は、両側部分の中央に縦方向に設けた折り目２５，２５から内方に二つ折り可能なマチ面部２６，２６を設け、封筒の後面部分の上端に有した蓋部２２の内面の幅方向に粘着剤層を積層して形成した接着面２３には、通常は剥離紙２４を剥離可能に貼付してある。
【０００５】
このマチ面部付封筒２０の上部に設けた口部２１から封筒内部に商品を収納し、マチ面部の折り目２５，２５を内側に折り畳んだ後に、自由端である蓋部２２を前記封筒の前面部分に被さるように折り曲げ、ついで、剥離紙２４を除去してから該蓋部２２の内面に設けた接着面２３をマチ面部付封筒２０の前面部分に糊着して固定する。
【０００６】
しかし、従来のマチ面部付封筒２０のマチ面部２６，２６を折り目２５，２５から内方に折り込んだ場合、この二つ折りされたマチ面部２６、２６の上端は重なった状態であって何ら固定されていないため、内部に商品を収納したマチ面部付封筒２０は、車両などによる運搬中に封筒内に収容された収納物が移動することによって押し出され、このマチ面部２６，２６の上端が、図９に一点鎖線で示すように外方に飛び出すことがある。このような場合、外方に飛び出したマチ面部２６，２６の上端より収納物が外方に脱出したり、内部商品の抜き取りなどがあるという問題点があり、収納物の紛失事故を発生する原因となっていた。
【先行技術文献】
【特許文献】
【０００７】
【特許文献１】実開平６−１６２４２号公報
【特許文献２】実開平６−１８２５２号公報
【特許文献３】登録実用新案第３０５４０３８号
【考案の概要】
【考案が解決しようとする課題】
【０００８】
本考案は上記のような問題点を解決するためになされたもので、マチ面部付封筒の両側に設けたマチ面部の上端に、該封筒の後面部から前面部に向かって夫々下り勾配に傾斜部を設け、封緘のため内方に折り畳んだマチ面部上部の表裏を前記後面部及び蓋面部の内面に夫々設けた接着面に接着して固定することにより，該マチ面部の上部を両面側から接着固着してマチ面部が外方に突出しないようにしたマチ面部付封筒を提供することを課題とするものである。
【課題を解決するための手段】
【０００９】
上記課題を達成するため、本考案は、前面部２と後面部３と両マチ面部５，５と底面部４と、前記後面部の上方に有した蓋面部７の内面及び後面部３の上部内面に粘着剤層を積層してなる接着面８を形成し、該接着面上に剥離可能に剥離紙１０を貼着してなるマチ面部付封筒において、前記封筒の後面部３と前面部２の両端部の間に、折り目１１，１１を有した前記マチ面部５，５の上端に、後面部から前面部に向かって下り勾配の傾斜部５ａ、５ａを夫々形成し、内方に折り畳んだ前記マチ面部上部の裏面及び表面を、前記後面部及び蓋面部に設けた接着面８に夫々密着させてなることを特徴とする。また、前記封筒内に、長さ調整可能な商品変形防止用の補強枠材１３を折り曲げて組み立てた補強枠１８を、収納物と共に前記封筒内に収納してなることを特徴とする。さらに、前記マチ面部５，５の中間に設けた折り目１１，１１を内方に折り込み、前記傾斜部５ａ，５ａの上端部が互いに重合しないように位置をずらして折り畳んだ該マチ面部の上部両面を前記後面部３の上部内面に設けた接着面８ｂ及び前記蓋面部７の内面に設けた接着面８ａに接着してなることを特徴とする。さらにまた、前記前面部２の上部中央に、前記高面部３の上部と同じ高さの凸部片２ａを設けてなることを特徴とする。さらに、前記マチ面部５，５の中間に、上下方向に設けた折り目１１，１１の上端に位置して該マチ面部の上端に突出片５ｂ，５ｂを設けてなることを特徴とする。また、前記前面部２及び両マチ面部５，５の上端部に、凹凸部１９を連続して設けてなることを特徴とする。さらにまた、前記補強枠材１３は、その中央部に位置する底面板１４の両端に設けた第１折り目１４ａ，１４ａを介して側面板１５，１５を形成すると共に、複数の予備折り目１５ｂ、１５ｂを夫々設けた前記側面板の先端部に形成した細幅の上部片１６，１６の先端部分に、互いに反対側に掛止用の複数の切込溝１７，１７を設けてなることを特徴とする。
【００１０】
以上のように、マチ面部付封筒は、中折れ用の折り目を有して両側端に設けたマチ面部の上端に後面部側から前面部側に下り勾配の傾斜部を設けたため、該マチ面部の折り目を内方に折り畳んでこの封筒を平坦にすると、二つ折りした該マチ面部の上端部分が重なることなく位置をずらせて折り畳まれるため、該マチ面部の上端部は後面部の上部内面及び蓋面部の内面にそれぞれ設けた接着面に両面が密着固定し、内方に折り畳まれたマチ面部が外方に突出するのを防止し、収納物が前記封筒の外部に脱出するのを防止することができるものである。
【００１１】
さらに、折り畳み可能な補強枠材で組み立てた補強枠内に収納物を収容して該マチ面部付封筒内に収納することにより、該補強枠によって該封筒のマチ面部が折り曲げられないように補強し、前記封筒の内部に収容した収納物の変形を防止することができる。
【００１２】
前記マチ面部５，５の上端部には、後面部３から前面部２に向かって夫々下り勾配の傾斜部を設け、該傾斜下部を連結した前面部の上端は、後面部の上部に比べて下方に位置するため、前記後面部の上部内面に設けた接着面８ｂと前面部２の上端位置との接着面積が減少して接着力が弱まるおそれがある。それを防止するため、前面部２の上部中央に、上方に突出させた凸部片２ａを設けて接着面を拡大することにより接着力の低下を防ぐことができる。
【００１３】
また、マチ面部付封筒の開口部周縁部の上端に、ノコギリ歯状の凹凸部を連続して形成したことにより、該封筒の端部によって手や指先を切ったり、マニキュアに傷を付けるのを防止することができる作用を有する。
【００１４】
なお、本考案は従来の緘付き封筒と同じ封緘作業で使用できるため、新たな封緘作業を伴わないので簡易に使用することができる。
【考案の効果】
【００１５】
以上の如く、本考案はマチ面部付封筒の後面部から前面部に向かって、該マチ面部の上端に傾斜部を設けてあるため、該マチ面部を内方に折り込むと平坦に折り畳まれたマチ面部の上部の裏面は後面部の上部内面の接着面に接着し、該マチ面部の表面は蓋面部の裏面に設けた接着面に接着し、該マチ面部の上部が位置をずらして折り畳んで重ならないようにしたことにより、マチ面上部の両面が接着面に接着して固定するため、運搬中に該マチ面部の上部が封筒の外方に突出することがないという効果を有する。
【図面の簡単な説明】
【００１６】
【図１】本考案に係るマチ面部付封筒の実施形態を示す開口部を開いた状態の斜視図である。
【図２】マチ面部付封筒のマチ面部を内方に折り畳んで平坦にした状態の一部省略した拡大平面図である。
【図３】マチ面部付封筒の下部を省略して前面部を切り開いた状態の展開図である。
【図４】図１のＡ−Ａ線方向拡大断面図である。
【図５】補強枠材の展開図である。
【図６】補強枠材を方形に組み立てて形成した補強枠の斜視図である。
【図７】補強枠を内部に収容したマチ面部付封筒の斜視図である。
【図８】図１のＣ部の拡大図である。
【図９】従来のマチ面部付封筒の斜視図である。
【図１０】図９のＢ−Ｂ線方向拡大断面図である。
【考案を実施するための形態】
【００１７】
本考案を図面に基づいて説明すると、図１は本考案に係るマチ面部付封筒の実施形態を示す開口部を開いた状態の斜視図、図２はマチ面部付封筒のマチ面部を内方に折り畳んで平坦にした状態の一部省略した拡大平面図、図３はマチ面部付封筒の下部を省略して前面部を切り開いた状態の展開図、図４は図１のＡ−Ａ線方向拡大断面図、図５は補強枠材の展開図、図６は補強枠材を方形に組み立てて形成した補強枠の斜視図、図７は補強枠を内部に収容したマチ面部付封筒の斜視図である。
【００１８】
本考案に係るマチ面部付封筒１に用いる素材は、紙、その他の利用可能な材料、例えば、
ラミネート加工紙、合成紙、機能紙などを用いるのが好ましいが、これらに限られるものではない。また、マチ面部付封筒１は、前面部２と後面部３と底面部４と両マチ面部５，５と、該後面部の上部に水平方向の折り線６を介して上方に延設した蓋面部７とを有した構成は従来と同じである。このマチ面部付封筒（以下、封筒という）１は、紙等を用いて従来の製法で製袋されるもので、前面部２と両マチ部５，５と後面部３の上部とで封筒の上部に開口部９を形成してある。この場合、前面部２の上部は、後面部３の上部、即ち、折り線６の部分に比べて一段低く形成するので、後記するように、前面部２の上部中央に凸部片２を設けてもよいものである。  
【００１９】
前記蓋面部７は、後面部３の上方に一体に延設してあるが、必ずしも後面部３の上端部位に一体に延設する必要はなく、蓋面部７を後面部３と別体に形成し、接着剤などで取り付けてもよいものである。
【００２０】
前記封筒１は、蓋面部７の内面とそれに続く後面部３の上部内面とに、夫々粘着剤層を積層してなる接着面８を形成し、該接着面８上には剥離紙１０を剥離可能に貼着してある。前記接着面８と剥離紙１０との積層は従来法で行えばよく、また、一般に両面テープと称されている両面が粘着層のテープを剥離紙に仮接着して所定の形状に裁断したものを手作業または機械的に鮎付するようにしてもよい。
【００２１】
この蓋面部７の内面と該蓋面部７の下方に続く後面部３の上部内面とに連続して形成した粘着剤層からなる接着面８は、前記封筒１の前面部２及び後面部３の間の内側に二つ折りに折り込んだマチ面部５，５の上端部の両面を接着固定するためのものである。
【００２２】
図２に示すように、粘着剤層からなる接着面８は、蓋面部７の内面に設けた第１の接着面８ａと、後面部３の上部中央の上部部位に設けた第２の接着面８ｂとからなり、該接着面８ａを蓋面部７の内面に形成するのは封絨のためであり、通常は蓋面郎７の内面全面に積層して形成してあるが、確実な封緘ができれば必ずしも全面に積層する必要は無く、蓋面部７の幅方向（図の左右方向）中央部分の略全幅に渡って形成してもよい。
【００２３】
この蓋面部７の両端部分又は上下部分に多少余白として粘着剤層の無い部分があっても差し支えない。また、蓋面部７の自由端側（図の上端側）に接着面８ａを設けないで余白を設けてあれば、封緘した蓋面部７を前面部２から剥す際のツマミ部の作用を有する利点がある。
【００２４】
さらに、図２、３に示すように、後面部３の上部内面に形成した接着面８ｂは、蓋面部７の内面に形成した接着面８ａと分離して形成してもよい。この粘着剤層からなる接着面８ａ，８ｂは、大型の封筒の場合、接着面８を必要面積以上に広くしないようにするのに効果的であり、また、手作業で積層する場合には作業性に適する利点を有している。
【００２５】
また、図３に示すように、前記封筒１の後面部３の上部内面に設けた接着面８ｂは、蓋面部７の基部両側に連続して設けたマチ面部５，５の一端である蓋面部７の基部と該マチ面部の他端に連続した前面部２の端部との間の高低差Ｓの長さと少なくとも同じ長さ又はそれ以上の長さに形成してある。この場合、接着面８ｂの上下方向の幅（長さ）は、Ｓの長さより長く形成してあると接着面積が拡大し、接着効果を高めることができる利点がある。
【００２６】
前記封筒１の後面部３と前面部２の両端部の間に設けたマチ面部５，５の上端には、後面部３から前面部２に向かって夫々下り勾配の傾斜部５ａ、５ａを形成してあり、さらに、該マチ面部の勾配上端に連続した蓋面部７の基部との間は、従来のように直角に裁断しないで弧状部７ａに形成することにより、該マチ面部の端部と蓋面部７の基部との連続部分の強度を高めて封筒を破れにくく構成してある。
【００２７】
封筒１の前面部２と後面部３の間に位置して設けたマチ面部５，５の上端に形成した傾斜部５ａ，５ａの中間には、上下方向に設けた折り目１１，１１の上端が連結してあり、該マチ面部が前面部２と後面部３の間の内方に折り畳めるようにしてある。このマチ面部の中間に設けた折り目１１，１１の上端に、例えば弧状部など任意形状に形成した補強用の突出片５ｂ，５ｂを一体に設けてある。
【００２８】
この突出片５ｂ，５ｂは立ち上がらせた状態で使用してもよいし、前記マチ面部の内側又は外側に折り畳んだ状態で使用してもよく、それらにより該折り目１１，１１の上端部分が位置するマチ面部５，５の中間部を補強している。
【００２９】
前面部２の上部は、マチ面部５，５の上端を前記後面部３側から前面部２側に下り勾配に傾斜部５ａ，５ａを設けたことにより、後面部の上端位置に比べて下方に位置しているので、前記蓋面部７の内面に設けた接着面８ａを内方に二つ折りしたマチ面部上部の上面（表面）及び前面部の上方部分に接着させた場合、該前面部２の上端部分の接着面が減少するのを防止するため、該前面部の上部中央に凸部片２ａを設けることにより、接着面積を拡大して接着力が弱まるのを防止することができる。しかし、蓋面部７の内面に設けた接着面８ａが十分な広さを有しておれば、この凸部片ａは必ずしも必要ではない。
【００３０】
この凸部片２ａは、内方に二つ折りに折り畳んだマチ面部５，５と重ならないように、前記封筒の左右方向にあまり長く形成しないようにしている。この凸部片２ａは、前記マチ面部の上部に傾斜部５ａ，５ａを形成する際に、前面部２の上端を全部裁断除去しないで、その一部を残して形成すればよく、余計な部品を必要としない利点を有している。
【００３１】
図５において、１３はボール紙などからなる補強枠材で、前記マチ面部付封筒１内に収容できる長さ及び幅であって、折り目から折り曲げられるように形成してある。即ち、中央部には前記封筒１の底面部４内に収容できるよう幅も狭く且つ横幅、即ち、左右方向の長さも短く形成した底面板１４の両端に第１折り目１４ａ，１４ａを形成し、該第１折り目を介して側面板１５，１５を連続して形成してある。
【００３２】
この側面板１５，１５の先端に第２折り目１５ａ，１５ａを形成し、さらに該側面版の高さを調節できるよう複数の予備折り目１５ｂ、１５ｂを前記第２折り目１５ａ，１５ａの下方に夫々形成してあるので、必要に応じて折り目を変更させることにより、側面板１５，１５の高さを調整することができるように形成してある。
【００３３】
この補強枠１８の側面板１５，１５の先端部分には、底面板１４に比べて細幅に形成し、前記封筒１内に収納する商品の大きさに応じて第２折り目１５ａ，１５ａの位置を、いずれかの予備折り目１５ｂ，１５ｂの位置に変更して折り曲げることにより該側面板１５，１５の高さを調整することができる。
【００３４】
さらに、両側面板１５，１５の先端に形成した第２折り目１５ａ，１５ａを介して連続して設けた上部片１６，１６の先端部分には、互いに反対側に複数の切込溝１７，１７を設け、この切込溝を互いに掛止させることにより、折り畳み及び組み立て可能な補強部材１３を用いて、図６に示すような略方形をした補強枠１８を組み立てることができる。
【００３５】
この補強枠材１３は、封筒１内に収納する商品が変形しやすい場合に使用するもので、通常使用する必要はないが、方形に組み立てた補強枠１８の内部に変形しやすい商品を収容した状態で前記封筒１内に収容すると、該封筒のマチ面部５，５は補強枠１８の側面板１５，１５によって補強されるため、中折れ状態になることを防止する。
【００３６】
さらに、該補強枠の上部片１６，１６や側面板１５，１５が，所謂中蓋（内蓋）の作用を発揮して前記商品より前記封筒１の先端側、即ち、開口部９側に位置しているため該封筒内の商品が外方に脱出するのを防止することができる。
【００３７】
前記封筒の開口部９の上端部分が直線状に形成してあると、該封筒を取り扱う際に、該開口部の上端部によって指先を負傷したり、爪を引っ掛けてマニキュアに傷をつけたりすることがあるため、図８に示すように、開口部を構成する前面部２及び両マチ面部の上端部分には連続して凹凸部１９を設けることにより指先が負傷するのを防ぐことができる。
【００３８】
本実施形態の作用について説明すると、前記封筒１の内部に収納物を収容した後、両マチ面部５，５の折り目１１，１１を内方に折り込んで両マチ面部を平坦に折り畳むと、該マチ面部の上部裏面、即ち、マチ面部の折り目１１，１１から後面部３側のマチ面部の上部裏面５ｃは、剥離紙１０ｂを剥がした粘着面８ｂに接着する。
【００３９】
他方、マチ面部の折り目１１，１１から前面部２側のマチ面部の上部表面５ｄは、前記蓋面部７の内面に設けてあり、且つ、剥離紙１０ａを剥離した接着面８ａに接着する。この場合、蓋面部７の内面に設けてある接着面８ａは内面略全体、言い換えれば、上下方向に十分な幅を有して設けてあるので、前記マチ面部の上部表面５ｄ，５ｄと共に、前面部２の上端部分も接着するため、折り畳まれた前記開口部９は完全に密着固定される。即ち、マチ面部５，５の上端は傾斜部５ａ，５ａに形成してあり、折り目１１，１１を内方に折り畳んだ場合、マチ面部の上端部分は「くの字」型に折り畳まれて重ならない構成を有している。
【００４０】
そのため、二つに折り畳まれたマチ面部５，５の上部裏面５ｃ，５ｃは、前記後面部３の上部内面に設けた接着面８ｂに接着固定し、また、該マチ面部の上部表面５ｄ，５ｄは、前記蓋面部７の内面に設けた接着面８ａに接着固定する。このように、マチ面部５，５の上部に設けた上部表面５ｄ、５ｄ及び上部裏面５ｃ，５ｃの両面を前記接着面８ａ，８ｂで両面から接着固定するため、該マチ面部の上端部分が外方に飛び出すのを確実に防止することができる作用を有するものである。
【符号の説明】
【００４１】
１      マチ面部付封筒
２      前面部
２ａ    凸部片
３      後面部
４      底面部
５      マチ面部
５ａ    傾斜部
５ｂ    突出片
５ｃ    上部裏面
５ｄ    上部表面
６      折り線
７      蓋面部
７ａ    弧状部
８      接着面
８ａ    接着面
８ｂ    接着面
１０      剥離紙
１０ａ    剥離紙
１０ｂ    剥離紙
１１      折り目
１３      補強部材
１４      底面板
１４ａ    第１折り目
１５      側面板
１５ａ    第２折り目
１５ｂ    予備折り目
１６      上部片
１７      切込溝
１８      補強枠
１９      凹凸部
【図１】
0003163424.tif 000003
【図２】
0003163424.tif 000004
【図３】
0003163424.tif 000005
【図４】
0003163424.tif 000006
【図５】
0003163424.tif 000007
【図６】
0003163424.tif 000008
【図７】
0003163424.tif 000009
【図８】
0003163424.tif 000010
【図９】
0003163424.tif 000011
【図１０】
0003163424.tif 000012